(57)【要約】【課題】入力操作に対する機器の動作のタイムラグを抑えつつ、消費電力を低減することのできる操作入力装置を提供すること。【解決手段】被検出物との距離に応じて変化する検出値を検知する検出部５１と、検出値が、被検出物と検出部５１との距離が第１の距離以下であることを示す第１閾値以上である場合に入力操作を検出する制御部６０と、備え、制御部６０は、検出値が、被検出物と検出部５１との距離が第１の距離よりも大きい第２の距離以下であることを示す閾値であり第１閾値より小さな値である第２閾値未満である場合に電力消費量を通常待機モードよりも低下させたスリープモードで待機し、検出値が、第２閾値以上である場合に通常待機モードで待機する。【選択図】図５
2020046701.tif 000002
【特許請求の範囲】
【請求項１】
被検出物との距離に応じて変化する検出値を検知する検出部と、
前記検出値が、前記被検出物と前記検出部との距離が第１の距離以下であることを示す第１閾値以上である場合に入力操作を検出する制御部と、
備え、
前記制御部は、
前記検出値が、前記被検出物と前記検出部との距離が前記第１の距離よりも大きい第２の距離以下であることを示す閾値であり前記第１閾値より小さな値である第２閾値未満である場合に電力消費量を通常待機モードよりも低下させたスリープモードで待機し、前記検出値が、前記第２閾値以上である場合に前記通常待機モードで待機することを特徴とする操作入力装置。
【請求項２】
前記検出部は、静電容量式のセンサであり、
前記検出値は、前記センサで検知する電界強度である請求項１に記載の操作入力装置。
【請求項３】
検出光を照射する投光部を備え、
前記検出部は、前記被検出物で反射した前記検出光を受光する受光部であり、
前記検出値は、前記被検出物で反射した前記検出光の角度である請求項１に記載の操作入力装置。
【請求項４】
前記制御部は、前記スリープモードでは前記通常待機モードよりも前記検出値を検知する頻度、または前記第１閾値及び前記第２閾値と前記検出値とを比較する頻度を低下させることにより、前記スリープモードの前記電力消費量を前記通常待機モードの前記電力消費量よりも低下させる請求項１〜３のいずれか１項に記載の操作入力装置。
【発明の詳細な説明】
【技術分野】
【０００１】
本発明は、操作入力装置に関する。
【背景技術】
【０００２】
自動車等の室内には、室内に設けられる機器の操作を行う操作スイッチが配設されているが、このような操作スイッチの中には、操作スイッチに対して非接触での入力操作を可能としているものがある（例えば、特許文献１）。
【先行技術文献】
【特許文献】
【０００３】
【特許文献１】特開２０１７−１０７７８２号公報
【発明の概要】
【発明が解決しようとする課題】
【０００４】
ここで、操作スイッチのような操作入力装置では、入力操作を検知した後に、操作内容に応じた制御信号を各機器へ送信するため、操作入力装置自体の制御を行う制御用のＩＣ（Ｉｎｔｅｇｒａｔｅｄ  Ｃｉｒｃｕｉｔ）が常に起動している状態になっている。このため、操作入力装置は、入力操作の待機中も、ＩＣの電力を消費する状態になっている。このような待機中の電力消費は、例えばＩＣへの電力供給を低減する、いわゆるスリープ状態にすると、消費する電力を抑えることはできる。しかし、操作入力装置をスリープ状態にした場合、使用者の入力操作を検知してからＩＣを起動し、各機器に制御信号を送信することによって各機器の動作の制御を行うため、使用者が入力操作を行ってから実際に機器が動作するまでに、タイムラグが生じる。
【０００５】
本発明は、上記に鑑みてなされたものであって、入力操作に対する機器の動作のタイムラグを抑えつつ、消費電力を低減することのできる操作入力装置を提供することを目的とする。
【課題を解決するための手段】
【０００６】
上述した課題を解決し、目的を達成するために、本発明に係る操作入力装置は、被検出物との距離に応じて変化する検出値を検知する検出部と、前記検出値が、前記被検出物と前記検出部との距離が第１の距離以下であることを示す第１閾値以上である場合に入力操作を検出する制御部と、備え、前記制御部は、前記検出値が、前記被検出物と前記検出部との距離が前記第１の距離よりも大きい第２の距離以下であることを示す閾値であり前記第１閾値より小さな値である第２閾値未満である場合に電力消費量を通常待機モードよりも低下させたスリープモードで待機し、前記検出値が、前記第２閾値以上である場合に前記通常待機モードで待機することを特徴とする。
【０００７】
また、上記操作入力装置において、前記検出部は、静電容量式のセンサであり、前記検出値は、前記センサで検知する電界強度であることが好ましい。
【０００８】
また、上記操作入力装置において、検出光を照射する投光部を備え、前記検出部は、前記被検出物で反射した前記検出光を受光する受光部であり、前記検出値は、前記被検出物で反射した前記検出光の角度であることが好ましい。
【０００９】
また、上記操作入力装置において、前記制御部は、前記スリープモードでは前記通常待機モードよりも前記検出値を検知する頻度、または前記第１閾値及び前記第２閾値と前記検出値とを比較する頻度を低下させることにより、前記スリープモードの前記電力消費量を前記通常待機モードの前記電力消費量よりも低下させることが好ましい。
【発明の効果】
【００１０】
本発明に係る操作入力装置は、検出部での検出値に対して第１閾値と第２閾値とを設定し、検出部での検出値が第２閾値未満である場合は、電力消費量を通常待機モードよりも低下させたスリープモードで待機するため、消費電力を低減することができる。また、検出部での検出値が第２閾値以上である場合は通常待機モードで待機し、検出値が第１閾値以上である場合に入力操作を検出して動作機器に動作を行わせるため、被検出物が検出部にある程度近付いた場合は、検出部への被検出物のさらなる接近を速やかに検知することが可能になる。これにより、被検出物が検出部に接近し、実際に入力操作が行われた場合は、動作機器に対して速やかに動作を行わせることができる。この結果、入力操作に対する機器の動作のタイムラグを抑えつつ、消費電力を低減することができる。
【図面の簡単な説明】
【００１１】
【図１】図１は、操作入力装置が適用される照明灯の斜視図である。
【図２】図２は、図１に示す照明灯の分解斜視図である。
【図３】図３は、図１に示す照明灯の平面図である。
【図４】図４は、図１のＡ−Ａ断面図である。
【図５】図５は、実施形態に係る操作入力装置の要部構成を示すブロック図である。
【図６】図６は、実施形態に係る操作入力装置への入力操作に対する処理手順を示すフロー図である。
【図７】図７は、操作入力装置に対して入力操作を行う際の模式図である。
【図８】図８は、実施形態に係る操作入力装置の変形例であり、被検出物との距離の検出に検出光を用いる場合の説明図である。
【発明を実施するための形態】
【００１２】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１３】
〔実施形態〕
実施形態に係る操作入力装置について説明する。図１は、操作入力装置５０が適用される照明灯１の斜視図である。図２は、図１に示す照明灯１の分解斜視図である。照明灯１は、例えば、自動車（図示省略）の室内の天井面に配設され、自動車のドライバーや助手席の乗員が、座席に座った状態で操作をすることができる位置に配置されている。照明灯１は、レンズ１０と、インナーハウジング２０と、アウターハウジング２５と、基板４０と、を備えている。このうち、アウターハウジング２５は、６つの面のうちの１つの面が開口することにより形成される開口部２６を備えた、略直方体の箱状の形状で形成されている。
【００１４】
インナーハウジング２０と基板４０とは、アウターハウジング２５の開口部２６側からの投影形状が開口部２６の形状と同等の形状で、開口部２６よりも若干小さい形状で形成されている。また、インナーハウジング２０と基板４０とは、インナーハウジング２０がアウターハウジング２５の開口部２６側に位置し、基板４０がアウターハウジング２５における開口部２６の反対側の位置で閉塞している面側に位置する配置形態で、アウターハウジング２５の内部に重ねて配置されている。
【００１５】
また、基板４０には、インナーハウジング２０が位置する側の面に、発光部として用いられるＬＥＤ（Ｌｉｇｈｔ  Ｅｍｉｔｔｉｎｇ  Ｄｉｏｄｅ）４１が複数配置されている。インナーハウジング２０における、基板４０に配置される複数のＬＥＤ４１に対向するそれぞれの位置には、インナーハウジング２０の厚さ方向に貫通する開口孔２１がそれぞれ形成されている。さらに、複数のＬＥＤ４１のうちの一部のＬＥＤ４１である照明用ＬＥＤ７２とインナーハウジング２０との間には、透明な樹脂等の透明な部材からなる導光部材であるプリズム３１が配置されている。
【００１６】
レンズ１０は、アウターハウジング２５の開口部２６の形状と同等の略長方形の板状の形状で形成されている。レンズ１０は、インナーハウジング２０と基板４０とをアウターハウジング２５の内部に配置した状態で、アウターハウジング２５の開口部２６と係合し、開口部２６を閉塞することが可能になっている。
【００１７】
図３は、図１に示す照明灯１の平面図である。レンズ１０上には、複数のスイッチ領域１１ａが配置されている。レンズ１０は、スイッチ領域１１ａが位置する部分は、光の透過が可能に施されており、スイッチ領域１１ａ以外の部分は、光に対して非透過になっている。本実施形態では、スイッチ領域１１ａとしては、サンルーフオープンスイッチ領域１２ａと、サンルーフクローズスイッチ領域１３ａと、照明ＯＮスイッチ領域１４ａと、照明ＯＦＦスイッチ領域１５ａと、スポット照明スイッチ領域１６ａとが設けられている。
【００１８】
これらの各スイッチ領域１１ａは、後述する静電センサ５２（図４、図５参照）とにより、それぞれ個別のスイッチ１１を構成している。つまり、サンルーフオープンスイッチ領域１２ａは、静電センサ５２とによりサンルーフオープンスイッチ１２を構成している。サンルーフクローズスイッチ領域１３ａは、静電センサ５２とによりサンルーフクローズスイッチ１３を構成している。照明ＯＮスイッチ領域１４ａは、静電センサ５２とにより照明ＯＮスイッチ１４を構成している。照明ＯＦＦスイッチ領域１５ａは、静電センサ５２とにより照明ＯＦＦスイッチ１５を構成している。スポット照明スイッチ領域１６ａは、静電センサ５２とによりスポット照明スイッチ１６を構成している。
【００１９】
スイッチ領域１１ａと静電センサ５２とによって構成されるスイッチ１１のうち、サンルーフオープンスイッチ１２とサンルーフクローズスイッチ１３とは、自動車に備えられるサンルーフ（図示省略）の開閉用のスイッチ１１になっている。即ち、サンルーフオープンスイッチ１２は、サンルーフを開けるスイッチ１１になっており、サンルーフクローズスイッチ１３は、サンルーフを閉じるスイッチ１１になっている。サンルーフオープンスイッチ１２のサンルーフオープンスイッチ領域１２ａと、サンルーフクローズスイッチ１３のサンルーフクローズスイッチ領域１３ａとには、それぞれのスイッチ１１を操作した際におけるサンルーフの動作を認識し易いように、スイッチ１１の操作時におけるサンルーフの移動方向が、矢印等の模様によって表示されている。
【００２０】
照明ＯＮスイッチ１４と照明ＯＦＦスイッチ１５とは、照明灯１が有するスポット照明３０用のスイッチ１１になっている。スポット照明３０は、照明灯１に２つが備えられており、２つのスポット照明３０は、例えば、運転席側と助手席側とをそれぞれ照射することができるように、照明灯１を自動車の室内の配設した場合における照明灯１の運転席寄りの位置と助手席寄りの位置とにそれぞれ配置されている。スポット照明３０は、基板４０（図２参照）に配置される照明用ＬＥＤ７２（図２参照）とプリズム３１（図２参照）とにより構成されており、レンズ１０には、照明用ＬＥＤ７２やプリズム３１の配置位置に対応する位置に、スポット照明透過部１７が設けられている。スポット照明透過部１７は、透明の窓状になっており、照明用ＬＥＤ７２で発光してプリズム３１を透過した光を透過させることが可能になっている。照明ＯＮスイッチ１４は、これらのように構成される２つのスポット照明３０をいずれも点灯させスイッチ１１になっており、照明ＯＦＦスイッチ１５は、２つのスポット照明３０をいずれも消灯させるスイッチ１１になっている。
【００２１】
スポット照明スイッチ１６も、スポット照明３０用のスイッチ１１になっている。スポット照明スイッチ１６は、２つのスポット照明３０に対応して２つが設けられており、２つのスポット照明スイッチ１６を構成する２つのスポット照明スイッチ領域１６ａは、それぞれスポット照明３０上に位置している。即ち、スポット照明透過部１７の位置が、スポット照明スイッチ領域１６ａを兼ねている。スポット照明スイッチ１６は、照明ＯＮスイッチ１４や照明ＯＦＦスイッチ１５とは異なり、それぞれのスポット照明スイッチ領域１６ａが位置する側のスポット照明３０の点灯と消灯とを独立して行うことが可能になっている。スポット照明スイッチ１６は、対応するスポット照明３０が消灯している際に操作をすると当該スポット照明３０を点灯させることができ、対応するスポット照明３０が点灯している際に操作をすると当該スポット照明３０を消灯させることができる。
【００２２】
図４は、図１のＡ−Ａ断面図である。基板４０に配置される複数のＬＥＤ４１は、レンズ１０側から見た場合において複数のスイッチ領域１１ａの位置に対応する位置に配置されている。このため、インナーハウジング２０に形成される複数の開口孔２１も、レンズ１０側から見た場合において複数のスイッチ領域１１ａの位置に対応する位置に形成されており、即ち、各開口孔２１は、スイッチ領域１１ａに対向する位置に形成されている。また、インナーハウジング２０には、開口孔２１が形成されている位置における、基板４０に対向する側に、導光部２２が設けられている。導光部２２は、略円筒形の形状で形成されており、円筒の一端側が開口孔２１に連通し、円筒の他端側にＬＥＤ４１が位置する向きで配置されている。これにより、導光部２２と開口孔２１とは、ＬＥＤ４１の点灯時には、ＬＥＤ４１で発光した光を導光部２２の内側を通して開口孔２１からレンズ１０側に出射させることにより、ＬＥＤ４１からの光をレンズ１０のスイッチ領域１１ａに向けて導くことが可能になっている。レンズ１０は、スイッチ領域１１ａが位置する部分は光の透過が可能になっているので、ＬＥＤ４１の点灯時は、レンズ１０のスイッチ領域１１ａはＬＥＤ４１から照射される光により発光する。
【００２３】
これらのように構成される照明灯１は、操作入力装置５０を有している。図５は、実施形態に係る操作入力装置５０の要部構成を示すブロック図である。操作入力装置５０は、人の手等の被検出物との距離に応じて変化する検出値を検知する検出部５１と、動作機器７０の制御を行う制御部６０とを備えている。本実施形態では、検出部５１は、静電容量式のセンサである静電センサ５２が用いられている。このため、検出部５１からの被検出物の距離に応じて変化し、検出部５１で検知する検出値は、静電センサ５２で検知する電界強度になっている。静電センサ５２で検知する電界強度は、静電センサ５２からの被検出物の距離が小さくなるに従って大きくなる。即ち、検出部５１によって検知する検出値は、検出部５１と被検出物との距離が小さくなるに従って大きくなり、検出部５１と被検出物との距離が大きくなるに従って小さくなる。
【００２４】
検出部５１である静電センサ５２は、複数のスイッチ１１に対応して複数が設けられている。つまり、静電センサ５２は、サンルーフオープンスイッチ１２用の静電センサ５２と、サンルーフクローズスイッチ１３用の静電センサ５２と、照明ＯＮスイッチ１４用の静電センサ５２と、照明ＯＦＦスイッチ１５用の静電センサ５２と、スポット照明スイッチ１６用の静電センサ５２とが設けられている。
【００２５】
各静電センサ５２は、一対の電極５３（図４参照）を有して構成されている。詳しくは、静電センサ５２は、互いに離間する一対の電極５３を用いて電界を発生させて、この電極５３間の電界強度の変化を検知することが可能になっている。静電センサ５２が有する一対の電極５３は、基板４０に配置されている。複数の静電センサ５２有する一対の電極５３は、それぞれの静電センサ５２が対応するスイッチ１１に対応するＬＥＤ４１の近傍に、それぞれ配置されている。具体的には、静電センサ５２の各電極５３は、基板４０における、インナーハウジング２０が有する導光部２２の基板４０側の端部に対向する位置に、それぞれ配置されている。
【００２６】
例えば、サンルーフオープンスイッチ１２用の静電センサ５２が有する一対の電極５３は、いずれもサンルーフオープンスイッチ１２用のＬＥＤ４１に対応するインナーハウジング２０が有する導光部２２における、基板４０側の端部に対向する位置に配置されている。このため、静電センサ５２は、照明灯１をレンズ１０側から見た際に、各スイッチ１１に対応する静電センサ５２が、各スイッチ１１に対応するレンズ１０上のスイッチ領域１１ａの位置に重なる位置、或いはレンズ１０上のスイッチ領域１１ａの近傍の位置と重なる位置に配置されている。
【００２７】
制御部６０は、基板４０に配置されており、演算処理を行うＣＰＵ（Ｃｅｎｔｒａｌ  Ｐｒｏｃｅｓｓｉｎｇ  Ｕｎｉｔ）と、各種情報を記憶するメモリとして機能するＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）などを有している。制御部６０の各機能の全部または一部は、ＲＯＭに保持されるアプリケーションプログラムをＲＡＭにロードしてＣＰＵで実行することによって、ＲＡＭやＲＯＭにおけるデータの読み出し及び書き込みを行うことで実現される。
【００２８】
制御部６０は、機能的に分けられるＩＣ６１とマイコン６２とを有している。このうち、ＩＣ６１は、静電センサ５２に接続されて静電センサ５２の検出値を取得し、マイコン６２は、動作機器７０に接続されて動作機器７０の動作を制御する。ここでいう動作機器７０の動作は、実際に動くもののみでなく、ＬＥＤ４１の点灯・消灯のような、電気の作用によって状態が変化するものを全て含む。本実施形態では、動作機器７０としては、サンルーフ開閉モータ７１と照明用ＬＥＤ７２とが適用される。マイコン６２はＩＣ６１と電気的に接続されており、ＩＣ６１によって取得した、静電センサ５２で検知した検出値に基づいて動作機器７０の制御を行う。これらのＩＣ６１とマイコン６２とは、一体に構成されていてもよく、別体で構成されて互いに電気的に接続されていてもよい。
【００２９】
制御部６０は、静電センサ５２での検出値に対して２つの閾値を設定して記憶している。２つの閾値のうちの１つの閾値である第１閾値は、人の手等の被検出物と静電センサ５２との距離が、スイッチ１１に対して入力操作が行われたと判断することのできる距離である第１の距離であるときの静電センサ５２の検出値になっている。第１の距離は、被検出物がレンズ１０に接触したと判断することができる距離であるため、レンズ１０からの距離が数ｍｍ程度となる距離として設定される。また、２つの閾値のうちのもう１つの閾値である第２閾値は、第１閾値よりも小さな値になっており、被検出物と静電センサ５２との距離が、第１の距離よりも所定の大きさだけ大きい第２の距離であるときの静電センサ５２の検出値になっている。第２の距離は、レンズ１０からの距離が１００ｍｍ程度となる距離として設定される。
【００３０】
つまり、第１閾値は、被検出物と静電センサ５２との距離が第１の距離であるときに静電センサ５２で検知する電界強度になっており、第２閾値は、被検出物と静電センサ５２との距離が第２の距離であるときに静電センサ５２で検知する電界強度になっている。静電センサ５２で検知する電界強度は、被検出物と静電センサ５２との距離が小さくなるに従って大きくなるため、第１閾値は、第２閾値よりも大きくなっている。
【００３１】
また、制御部６０は、スイッチ１１への入力操作に応じて動作機器７０を制御するにあたってのモードとして、通常待機モードと、電力消費量を通常待機モードよりも低下させたスリープモードとを有している。このうち、スリープモードは、通常待機モードよりも検出値を検知する頻度、または第１閾値及び第２閾値と検出値とを比較する頻度を低下させるモードになっている。これにより、スリープモードでは、電力消費量を通常待機モードの電力消費量よりも低下させることが可能になっている。制御部６０は、静電センサ５２で検知する電界強度に応じて、通常待機モードとスリープモードとを切り替える。
【００３２】
本実施形態に係る操作入力装置５０は、以上のような構成からなり、以下、その作用について説明する。操作入力装置５０を備える照明灯１は、複数のＬＥＤ４１を有しているが、通常時はＬＥＤ４１は点灯させず、自動車の灯火類を切り替える切替スイッチ（図示省略）が、車幅灯や前照灯を点灯させる位置に切り替えられたら、照明用ＬＥＤ７２以外のＬＥＤ４１を点灯させる。ＬＥＤ４１を点灯させると、ＬＥＤ４１からの光がインナーハウジング２０の導光部２２や開口孔２１を通り、レンズ１０のスイッチ領域１１ａを透過することにより、レンズ１０のスポット照明スイッチ１６以外のスイッチ領域１１ａは発光する。これにより、自動車の乗員は、夜間等で自動車の室内が暗い状態でも、照明灯１に設けられるスイッチ領域１１ａの位置を認識することができる。
【００３３】
照明灯１に対して入力操作を行う際には、自動車の乗員が照明灯１に設けられるスイッチ領域１１ａを手で触れたり、スイッチ領域１１ａに対して手を近づけたりすることにより、スイッチ１１に対して入力操作を行う。例えば、スポット照明３０を点灯させる場合には、照明ＯＮスイッチ１４が有する照明ＯＮスイッチ領域１４ａや、スポット照明スイッチ１６が有するスポット照明スイッチ領域１６ａを手で触れる。照明ＯＮスイッチ領域１４ａやスポット照明スイッチ領域１６ａを手で触れることにより、照明ＯＮスイッチ１４やスポット照明スイッチ１６に対して入力操作を行った際には、照明用ＬＥＤ７２を点灯させる。照明用ＬＥＤ７２を点灯させると、照明用ＬＥＤ７２からの光がインナーハウジング２０の導光部２２や開口孔２１を通り、さらにプリズム３１を通って光の進行方向が調整され、レンズ１０のスポット照明透過部１７から照射される。これにより、スポット照明３０は点灯する。照明ＯＮスイッチ１４と照明ＯＦＦスイッチ１５とは、２つのスポット照明３０の双方の点灯と消灯とを切り替えることができ、スポット照明スイッチ１６は、スポット照明スイッチ１６が位置する側のスポット照明３０の点灯と消灯とを切り替えることができる。スポット照明スイッチ１６は、スポット照明３０の点灯時に入力操作を行うと、スポット照明３０の消灯することができ、スポット照明３０の消灯時に入力操作を行うと、スポット照明３０の点灯させることができる。
【００３４】
図６は、実施形態に係る操作入力装置５０への入力操作に対する処理手順を示すフロー図である。図７は、操作入力装置５０に対して入力操作を行う際の模式図である。照明灯１に備えられる操作入力装置５０は、通常時は、静電センサ５２での検出値を検知する頻度や、第１閾値及び第２閾値と検出値とを比較する頻度を低下させるモードであるスリープモードで待機する（ステップＳＴ１１）。スリープモードでの待機中に、静電センサ５２で検知する検出値が変化したら、制御部６０は検出値が第２閾値以上であるか否かを判定する（ステップＳＴ１２）。即ち、静電センサ５２で検知する電界強度が、第２閾値以上であるか否かを判定する。
【００３５】
この判定により、検出値が第２閾値未満であると判定された場合（ステップＳＴ１２、Ｎｏ判定）は、スリープモードでの待機を継続する（ステップＳＴ１１）。つまり、静電センサ５２で検知する電界強度が第２閾値未満である場合は、被検出物である、操作入力装置５０に対して入力操作を行う人の手１００は、レンズ１０から大きく離れ、スイッチ１１から大きく離れていることを示している。この場合は、スイッチ１１に対してすぐには入力操作が行われないことを示しているため、スリープモードでの待機を継続する。
【００３６】
これに対し、静電センサ５２で検知する検出値が第２閾値以上であると判定された場合（ステップＳＴ１２、Ｙｅｓ判定）は、制御部６０は、通常待機モードに移行する（ステップＳＴ１３）。つまり、第２閾値は、手１００と静電センサ５２との距離が、第１の距離よりも大きい第２の距離であるときの検出値の閾値であるため、静電センサ５２の検出値である電界強度が第２閾値以上である場合は、手１００と静電センサ５２との距離が第２の距離以下であることを示している。この場合は、入力操作を行う人の手１００はレンズ１０に接近し、スイッチ領域１１ａに接近していることを示しており、スイッチ１１に対して入力操作が行われる可能性が高いことを示しているため、制御部６０はスリープモードからウェイクアップし通常待機モードで待機する。これにより、静電センサ５２での検出値を検知する頻度や、第１閾値及び第２閾値と検出値とを比較する頻度を、スリープモードよりも増加させ、スイッチ１１に対して入力操作が行われた際に、短時間で検知して動作機器７０を動作させることができるようにする。
【００３７】
通常待機モードでの待機中に、静電センサ５２で検知する検出値が変化したら、制御部６０は検出値が第１閾値以上であるか否かを判定する（ステップＳＴ１４）。即ち、静電センサ５２で検知する電界強度が、第１閾値以上であるか否かを判定する。この判定により、検出値が第１閾値以上であると判定された場合（ステップＳＴ１４、Ｙｅｓ判定）は、動作機器７０に動作を行わせる（ステップＳＴ１５）。つまり、静電センサ５２で検知する検出値が、第１閾値以上である場合は、入力操作を行う人の手１００と静電センサ５２との距離が第１の距離以下であることを示しており、手１００がレンズ１０にほぼ接触していることを示している。この場合、制御部６０は、当該静電センサ５２を有するスイッチ１１に対応する動作機器７０に対して、スイッチ１１に対応する動作を行わせる。即ち、検出値が第１閾値以上であると判定された場合は、制御部６０はスイッチ１１に対して入力操作が行われたことを検出し、動作機器７０に対して動作を行わせる。
【００３８】
例えば、サンルーフオープンスイッチ１２が有する静電センサ５２で検知する電界強度が、第１閾値以上である場合は、手１００がレンズ１０におけるサンルーフオープンスイッチ領域１２ａの位置に接触していることを示している。このため、この場合は、制御部６０は、サンルーフを開かせる方向にサンルーフ開閉モータ７１を作動させる。制御部６０は、このように、静電センサ５２で検知する検出値が第１閾値以上である場合は、当該静電センサ５２を有するスイッチ１１に対応する動作機器７０に対して、スイッチ１１に対応する動作を行わせる。
【００３９】
これに対し、通常待機モードで待機中に検知した静電センサ５２での検出値が、第１閾値未満であると判定された場合（ステップＳＴ１４、Ｎｏ判定）は、再度、静電センサ５２で検知する検出値が第２閾値以上であるか否かを判定する（ステップＳＴ１６）。この判定により、検出値が第２閾値以上であると判定された場合（ステップＳＴ１６、Ｙｅｓ判定）は、制御部６０は、通常待機モードでの待機を継続する。
【００４０】
一方、静電センサ５２で検知する検出値が第２閾値未満であると判定された場合（ステップＳＴ１６、Ｎｏ判定）は、制御部６０は、スリープモードに移行する（ステップＳＴ１１）。つまり、静電センサ５２で検知する電界強度が第２閾値未満である場合は、手１００はスイッチ１１から大きく離れていることを示しており、スイッチ１１に対してすぐには入力操作が行われないことを示している。このため、この場合はスリープモードに移行し、電界強度を検知する頻度等を低下させる。
【００４１】
以上の実施形態に係る操作入力装置５０は、静電センサ５２での検出値に対して第１閾値と第２閾値とを設定し、静電センサ５２での検出値が第２閾値未満である場合は、電力消費量を通常待機モードよりも低下させたスリープモードで待機するため、消費電力を低減することができる。また、静電センサ５２での検出値が第２閾値以上である場合は通常待機モードで待機し、検出値が第１閾値以上である場合に動作機器７０に動作を行わせるため、入力操作を行う人の手１００がスイッチ１１にある程度近付いた場合は、スイッチ１１に対する入力操作を速やかに検知することを可能な状態にすることができる。これにより、スイッチ１１に対して実際に入力操作が行われた際には、動作機器７０に対して速やかに動作を行わせることができる。この結果、入力操作に対する機器の動作のタイムラグを抑えつつ、消費電力を低減することができる。
【００４２】
また、被検出物である手１００を検知する検出部５１は、静電容量式の静電センサ５２であり、手１００との距離に応じて変化する検出値は、静電センサ５２で検知する電界強度であるため、スイッチ１１から離れた位置の手１００を、静電センサ５２によってより適切に検知することができる。これにより、スイッチ１１からの手１００の距離に応じて、より適切に通常待機モードとスリープモードとを切り替えることができる。この結果、入力操作に対する機器の動作のタイムラグを抑えつつ、消費電力を低減することができる。
【００４３】
また、制御部６０は、スリープモードでは通常待機モードよりも検出値を検知する頻度や、は第１閾値及び第２閾値と検出値とを比較する頻度を低下させることにより、スリープモードの電力消費量を低下させるため、動作機器７０の制御に対して影響を与えることなく、電力消費量を低下させることができる。この結果、より確実に、且つ、容易に、消費電力を低減することができる。
【００４４】
〔変形例〕
なお、上述した実施形態では、検出部５１として、静電容量式のセンサである静電センサ５２が用いられているが、被検出物との距離に応じて変化する検出値を検知する検出部５１は、静電センサ５２以外であってもよい。図８は、実施形態に係る操作入力装置５０の変形例であり、被検出物との距離の検出に検出光を用いる場合の説明図である。手１００のような被検出物と検出部５１との距離の判断は、例えば、図８に示すように、検出光を照射する投光部５５を備え、被検出物で反射した検出光を受光する受光部５６を検出部５１として用いてもよい。この場合における投光部５５は、検出光として赤外線を照射し、赤外線を受光する受光部５６は、ＰＳＤ（Ｐｏｓｉｔｉｏｎ  Ｓｅｎｓｉｔｉｖｅ  Ｄｅｔｅｃｔｏｒ）が用いられる。このため、受光部５６で検出する検出値は、被検出物で反射した検出光の角度になっている。つまり、投光部５５から照射した赤外線は被検出物で反射し、反射した赤外線を受光部５６で受光するが、被検出物で反射した赤外線を受光部５６で受光する際における入射角は、被検出物との距離に応じて変化する。
【００４５】
詳しくは、受光部５６に赤外線が入射する際における、受光部５６の正面の位置を基準（０°）とする赤外線の入射方向の傾斜角を赤外線の入射角とする場合に、入射角は、被検出物と受光部５６との距離が小さくなるに従って大きくなる。受光部５６は、このように被検出物との距離に応じて変化する、被検出物で反射した赤外線の入射角を検知する。また、制御部６０で設定する第１閾値と第２閾値とは、入射角に対して設定される。このため、制御部６０は、受光部５６で検知した赤外線の入射角が第１閾値以上である場合は動作機器７０に動作を行わせ、入射角が第２閾値以上である場合は通常待機モードで待機し、入射角が第２閾値未満である場合はスリープモードで待機する。このように、検出部５１は、静電センサ５２以外が用いられてもよい。
【００４６】
また、上述した実施形態では、検出部５１を用いるスイッチ１１として、サンルーフオープンスイッチ１２と、サンルーフクローズスイッチ１３と、照明ＯＮスイッチ１４と、照明ＯＦＦスイッチ１５と、スポット照明スイッチ１６とを有しているが、スイッチ１１はこれ以外のものであってもよい。検出部５１を用いるスイッチ１１の用途は問わない。
【００４７】
また、上述した実施形態では、操作入力装置５０は、自動車の室内に設置される照明灯１に用いられているが、操作入力装置５０は、照明灯１以外の機器や装置に用いられてもよい。
【００４８】
また、スリープモードは、電力消費量を通常待機モードの電力消費量よりも低下させるにあたって、上述した手法以外を用いてもよい。スリープモードは、例えば、ＬＥＤ４１の出力を、通常待機モードにおけるＬＥＤ４１の出力よりも低減させてもよい。スリープモードは、電力消費量を通常待機モードの電力消費量よりも低下させることができれば、その手法は問わない。
【００４９】
また、上述した本発明の実施形態、変形例に係る操作入力装置は、上述した実施形態、変形例に限定されず、特許請求の範囲に記載された範囲で種々の変更が可能である。本実施形態、変形例に係る操作入力装置は、以上で説明した各実施形態、変形例の構成要素を適宜組み合わせることで構成してもよい。
【符号の説明】
【００５０】
１  照明灯
１０  レンズ
１１  スイッチ
１１ａ  スイッチ領域
１２  サンルーフオープンスイッチ
１３  サンルーフクローズスイッチ
１４  照明ＯＮスイッチ
１５  照明ＯＦＦスイッチ
１６  スポット照明スイッチ
１７  スポット照明透過部
２０  インナーハウジング
２１  開口孔
２２  導光部
２５  アウターハウジング
２６  開口部
３０  スポット照明
３１  プリズム
４０  基板
４１  ＬＥＤ
５０  操作入力装置
５１  検出部
５２  静電センサ
５３  電極
５５  投光部
５６  受光部
６０  制御部
６１  ＩＣ
６２  マイコン
７０  動作機器
７１  サンルーフ開閉モータ
７２  照明用ＬＥＤ
１００  手（被検出物）
【図１】
2020046701.tif 000003
【図２】
2020046701.tif 000004
【図３】
2020046701.tif 000005
【図４】
2020046701.tif 000006
【図５】
2020046701.tif 000007
【図６】
2020046701.tif 000008
【図７】
2020046701.tif 000009
【図８】
2020046701.tif 000010